(57)【要約】【課題】宛先を登録する際に送信元を指定する方法を提供し、画像を送信する際に、同じ宛先には同じ送信元から送ることできるようにする。【解決手段】送信依頼された画像を指定の宛先に送信する送信依頼受付機能を有する機器が複数設置されたネットワークに接続され、前記指定の宛先を示す宛先データが登録されるアドレス帳を有する画像処理装置において、前記機器を指定する送信依頼先データと前記宛先データとを関連付けて前記アドレス帳に登録するアドレス登録手段と、前記アドレス登録手段により登録された前記宛先データと前記送信依頼先データを指定するアドレス指定手段と、送信を目的とする画像を指定する画像指定手段と、前記画像指定手段で指定した画像と前記アドレス指定手段で指定した前記宛先データとを、前記アドレス指定手段で指定した前記送信依頼先データにより指定される前記機器に送信する手段とを有する。【選択図】図５
2010016451.tif 000002
【特許請求の範囲】
【請求項１】
送信依頼された画像を指定の宛先に送信する送信依頼受付機能を有する機器が複数設置されたネットワークに接続され、前記指定の宛先を示す宛先データが登録されるアドレス帳を有する画像処理装置において、
前記機器を指定する送信依頼先データと前記宛先データとを関連付けて前記アドレス帳に登録するアドレス登録手段と、
前記アドレス登録手段により登録された前記宛先データと前記送信依頼先データを指定するアドレス指定手段と、
送信を目的とする画像を指定する画像指定手段と、
前記画像指定手段で指定した画像と前記アドレス指定手段で指定した前記宛先データとを、前記アドレス指定手段で指定した前記送信依頼先データにより指定される前記機器に送信する手段とを備えたことを特徴とする画像処理装置。
【請求項２】
前記機器を示す汎用の識別子である汎用識別子、及び前記機器を示す唯一の識別子である絶対識別子を前記送信依頼先データとして登録する識別子登録手段と、
前記アドレス登録手段により登録された前記送信依頼先データが前記汎用識別子であるか否かを判定する識別子判定手段と、
前記識別子判定手段によって前記汎用識別子であると判定された場合に、該汎用識別子を前記絶対識別子に変換する識別子変換手段と、
前記アドレス登録手段により登録された前記宛先データと、該宛先データに関連付けられた前記送信依頼先データとしての前記絶対識別子とを組み合わせたアドレス帳出力用データを外部へ出力するアドレス帳出力手段とを有することを特徴とする請求項１に記載の画像処理装置。
【請求項３】
前記宛先データと前記送信依頼先データとを組み合わせたアドレス帳入力用データにおける前記送信依頼先データが前記機器を示す唯一の識別子である絶対識別子であるかどうかを判定する識別子判定手段と、
前記識別子判定手段により前記絶対識別子であると判定された場合に、該絶対識別子を、前記機器を示す汎用の識別子である汎用識別子に置換する手段と、
前記置換された汎用識別子と前記宛先データとを前記アドレス帳に登録する手段とを有することを特徴とする請求項１に記載の画像処理装置。
【請求項４】
前記送信依頼先データで指定される機器に依頼が不可能なことを判定する手段と、
前記依頼が不可能と判定された場合に送信依頼を中止する手段とを有することを特徴とする請求項１乃至３のいずれか１項に記載の画像処理装置。
【請求項５】
前記送信依頼先データで指定される機器に依頼が不可能なことを判定する手段と、
前記依頼が不可能と判定された場合に送信依頼を行う機器を指定する手段とを有することを特徴とする請求項１乃至３のいずれか１項に記載の画像処理装置。
【請求項６】
送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置であって、
前記宛先データと前記機器を指定する送信依頼先データとを関連付けて前記アドレス帳に登録するアドレス登録手段と、
前記他の画像処理装置からの前記アドレス帳の参照要求を受け付ける手段と、
前記参照要求を受けて、前記アドレス登録手段で前記アドレス帳に登録された前記宛先データと前記送信依頼先データを、前記参照要求を送った前記他の画像処理装置に送信する手段とを備えたことを特徴とする画像処理装置。
【請求項７】
送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムであって、
前記サーバ装置は、
前記宛先データと前記機器を指定する送信依頼先データとを関連付けて前記アドレス帳に登録するアドレス登録手段と、
前記画像処理装置からの前記アドレス帳の参照要求を受け付ける手段と、
前記参照要求を受けて、前記アドレス登録手段で前記アドレス帳に登録された前記宛先データと前記送信依頼先データを、前記参照要求を送った前記画像処理装置に送信する手段とを有し、
前記画像処理装置は、
前記アドレス登録手段により登録された前記宛先データと前記送信依頼先データを指定するアドレス指定手段と、
前記アドレス指定手段で指定された前記宛先データと前記送信依頼先データの参照要求を前記サーバ装置に送信する手段と、
前記サーバ装置から送信される前記宛先データと前記送信依頼先データを受信する受信手段と、
送信を目的とする画像を指定する画像指定手段と、
前記画像指定手段で指定した画像と前記受信手段で受信した宛先データとを、前記受信手段で受信した送信依頼先データにより指定される前記機器に送信する手段とを備えたことを特徴とする画像処理システム。
【請求項８】
送信依頼された画像を宛先データで指定される宛先に送信する送信依頼受付機能を有する機器が２つ以上接続されたネットワーク上に配された、アドレス帳を有するサーバ装置と通信することが可能な複数の画像処理装置であって、
前記各画像処理装置は、
前記サーバ装置のアドレス帳に登録されている前記宛先データと前記機器を指定する送信依頼先データを指定するアドレス指定手段と、
前記アドレス指定手段で指定された前記宛先データと前記送信依頼先データの参照要求を前記サーバ装置に送信する手段と、
前記参照要求に基づいて前記サーバ装置から送信される前記宛先データと前記送信依頼先データを受信する受信手段と、
送信を目的とする画像を指定する画像指定手段と、
前記画像指定手段で指定した画像と前記受信手段で受信した宛先データとを、前記受信手段で受信した送信依頼先データにより指定される前記機器に送信する手段とをそれぞれ備えたことを特徴とする画像処理装置。
【請求項９】
送信依頼された画像を宛先データで指定される宛先に送信する送信依頼受付機能を有する機器に送信する機器が２つ以上接続されたネットワーク上に配された、アドレス帳を有するサーバ装置と、前記サーバ装置と前記ネットワークを介して通信することが可能な複数の画像処理装置とを備えた画像処理システムであって、
前記サーバ装置は、
前記宛先データと前記機器を指定する送信依頼先データとを関連付けて前記アドレス帳に登録するアドレス登録手段と、
前記画像処理装置からの前記アドレス帳の参照要求を受け付ける手段と、
前記参照要求を受けて、前記アドレス登録手段で前記アドレス帳に登録された前記宛先データと前記送信依頼先データを、前記参照要求を送った画像処理装置に送信する手段とを備え、
前記各画像処理装置は、
前記サーバ装置のアドレス帳に登録されている前記宛先データと前記送信依頼先データを指定するアドレス指定手段と、
前記アドレス指定手段で指定された前記宛先データと前記送信依頼先データの参照要求を前記サーバ装置に送信する手段と、
前記参照要求に基づいて前記サーバ装置から送信される前記宛先データと前記送信依頼先データを受信する受信手段と、
送信を目的とする画像を指定する画像指定手段と、
前記画像指定手段で指定した画像と前記受信手段で受信した宛先データとを、前記受信手段で受信した送信依頼先データにより指定される前記機器に送信する手段とをそれぞれ備えたことを特徴とする画像処理システム。
【請求項１０】
前記サーバ装置は、
前記宛先データと、初期値の送信依頼先データとを紐付けて前記アドレス帳に登録する手段と、
前記登録された宛先データと初期値の送信依頼先データをクライアント装置に送信する手段とを
有することを特徴とする請求項９に記載の画像処理システム。
【請求項１１】
送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムであって、
前記サーバ装置は、
前記宛先データと前記機器を指定する送信依頼先データとを関連付けて前記アドレス帳に登録するアドレス登録手段と、
前記画像処理装置からの前記アドレス帳の参照要求を受け付ける手段と、
前記参照要求を受けて、前記アドレス登録手段で前記アドレス帳に登録された前記宛先データと前記送信依頼先データを、前記参照要求を送った前記画像処理装置に送信する手段と、
前記宛先データと前記送信依頼先データを送信する際に、前記アドレス登録手段で登録される前記送信依頼先データとして、前記機器のうちの送信依頼受け付け可能な機器を選択することを示す動的選択識別子を登録する手段と、
前記送信依頼先データが前記動的選択識別子であるか否かを判定する手段と、
前記送信依頼先データが前記動的選択識別子である場合に、前記機器が送信依頼受け付け可能な状態か否かを判定する手段と、
前記送信依頼受け付け可能な状態と判定された機器を指定する送信依頼先データと、前記宛先データとを前記画像処理装置に送信する手段とを有し、
前記画像処理装置は、
前記アドレス登録手段により登録された前記宛先データと前記送信依頼先データを指定するアドレス指定手段と、
前記アドレス指定手段で指定された前記宛先データと前記送信依頼先データの参照要求を前記サーバ装置に送信する手段と、
前記参照要求に基づいて前記サーバ装置から送信される前記宛先データと前記送信依頼先データを受信する受信手段と、
送信を目的とする画像を指定する画像指定手段と、
前記画像指定手段で指定した画像と前記受信手段で受信した宛先データとを、前記受信手段で受信した送信依頼先データにより指定される前記機器に送信する手段とを備えたことを特徴とする画像処理システム。
【請求項１２】
送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムであって、
前記サーバ装置は、
前記宛先データと前記機器を指定する送信依頼先データとを関連付けて前記アドレス帳に登録するアドレス登録手段と、
前記画像処理装置からの前記アドレス帳の参照要求を受け付ける手段と、
前記参照要求を受けて、前記アドレス登録手段で前記アドレス帳に登録された前記宛先データと前記送信依頼先データを、前記参照要求を送った前記画像処理装置に送信する手段と、
前記宛先データと前記送信依頼先データを送信する際に、前記アドレス登録手段で登録される前記送信依頼先データとして、前記２つ以上の機器のうち所定の複数の機器において送信依頼受け付け可能な機器を選択することを示す動的選択識別子を登録する手段と、
前記送信依頼先データが前記動的選択識別子であるか否かを判定する手段と、
前記機器が送信依頼受け付け可能な状態か否かを判定する手段と、
前記送信依頼先データが前記動的選択識別子である場合に、前記送信依頼受け付け可能な状態と判定された機器を指定する送信依頼先データと、前記宛先データとを前記画像処理装置に送信する手段とを有し、
前記画像処理装置は、
前記アドレス登録手段により登録された前記宛先データと前記送信依頼先データを指定するアドレス指定手段と、
前記アドレス指定手段で指定された前記宛先データと前記送信依頼先データの参照要求を前記サーバ装置に送信する手段と、
前記参照要求に基づいて前記サーバ装置から送信される前記宛先データと前記送信依頼先データを受信する受信手段と、
送信を目的とする画像を指定する画像指定手段と、
前記画像指定手段で指定した画像と前記受信手段で受信した宛先データとを、前記受信手段で受信した送信依頼先データにより指定される前記機器に送信する手段とを備えたことを特徴とする画像処理システム。
【請求項１３】
送信依頼された画像を指定の宛先に送信する送信依頼受付機能を有する機器が複数設置されたネットワークに接続され、前記指定の宛先を示す宛先データが登録されるアドレス帳を有する画像処理装置の画像処理方法であって、
前記機器を指定する送信依頼先データと前記宛先データとを関連付けて前記アドレス帳に登録するアドレス登録工程と、
前記アドレス登録工程により登録された前記宛先データと前記送信依頼先データを指定するアドレス指定工程と、
送信を目的とする画像を指定する画像指定工程と、
前記画像指定工程で指定した画像と前記アドレス指定工程で指定した前記宛先データとを、前記アドレス指定工程で指定した前記送信依頼先データにより指定される前記機器に送信する工程とを有することを特徴とする画像処理装置の画像処理方法。
【請求項１４】
送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置の画像処理方法であって、
前記宛先データと前記機器を指定する送信依頼先データとを関連付けて前記アドレス帳に登録するアドレス登録工程と、
前記他の画像処理装置からの前記アドレス帳の参照要求を受け付ける工程と、
前記参照要求を受けて、前記アドレス登録工程で前記アドレス帳に登録された前記宛先データと前記送信依頼先データを、前記参照要求を送った前記他の画像処理装置に送信する工程とを有することを特徴とする画像処理装置の画像処理方法。
【請求項１５】
送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムの画像処理方法であって、
前記サーバ装置は、
前記宛先データと前記機器を指定する送信依頼先データとを関連付けて前記アドレス帳に登録するアドレス登録工程と、
前記画像処理装置からの前記アドレス帳の参照要求を受け付ける工程と、
前記参照要求を受けて、前記アドレス登録工程で前記アドレス帳に登録された前記宛先データと前記送信依頼先データを、前記参照要求を送った前記画像処理装置に送信する工程とを有し、
前記画像処理装置は、
前記アドレス登録工程により登録された前記宛先データと前記送信依頼先データを指定するアドレス指定工程と、
前記アドレス指定工程で指定された前記宛先データと前記送信依頼先データの参照要求を前記サーバ装置に送信する工程と、
前記サーバ装置から送信される前記宛先データと前記送信依頼先データを受信する受信工程と、
送信を目的とする画像を指定する画像指定工程と、
前記画像指定工程で指定した画像と前記受信工程で受信した宛先データとを、前記受信工程で受信した送信依頼先データにより指定される前記機器に送信する工程とを備えたことを特徴とする画像処理システムの画像処理方法。
【請求項１６】
送信依頼された画像を宛先データで指定される宛先に送信する送信依頼受付機能を有する機器が２つ以上接続されたネットワーク上に配された、アドレス帳を有するサーバ装置と通信することが可能な複数の画像処理装置の画像処理方法であって、
前記各画像処理装置は、
前記サーバ装置のアドレス帳に登録されている前記宛先データと前記機器を指定する送信依頼先データを指定するアドレス指定工程と、
前記アドレス指定工程で指定された前記宛先データと前記送信依頼先データの参照要求を前記サーバ装置に送信する工程と、
前記参照要求に基づいて前記サーバ装置から送信される前記宛先データと前記送信依頼先データを受信する受信工程と、
送信を目的とする画像を指定する画像指定工程と、
前記画像指定工程で指定した画像と前記受信工程で受信した宛先データとを、前記受信工程で受信した送信依頼先データにより指定される前記機器に送信する工程とをそれぞれ有することを特徴とする画像処理装置の画像処理方法。
【請求項１７】
送信依頼された画像を宛先データで指定される宛先に送信する送信依頼受付機能を有する機器に送信する機器が２つ以上接続されたネットワーク上に配された、アドレス帳を有するサーバ装置と、前記サーバ装置と前記ネットワークを介して通信することが可能な複数の画像処理装置とを備えた画像処理システムの画像処理方法であって、
前記サーバ装置は、
前記宛先データと前記機器を指定する送信依頼先データとを関連付けて前記アドレス帳に登録するアドレス登録工程と、
前記画像処理装置からの前記アドレス帳の参照要求を受け付ける工程と、
前記参照要求を受けて、前記アドレス登録工程で前記アドレス帳に登録された前記宛先データと前記送信依頼先データを、前記参照要求を送った画像処理装置に送信する工程とを有し、
前記各画像処理装置は、
前記サーバ装置のアドレス帳に登録されている前記宛先データと前記送信依頼先データを指定するアドレス指定工程と、
前記アドレス指定工程で指定された前記宛先データと前記送信依頼先データの参照要求を前記サーバ装置に送信する工程と、
前記参照要求に基づいて前記サーバ装置から送信される前記宛先データと前記送信依頼先データを受信する受信工程と、
送信を目的とする画像を指定する画像指定工程と、
前記画像指定工程で指定した画像と前記受信工程で受信した宛先データとを、前記受信工程で受信した送信依頼先データにより指定される前記機器に送信する工程とをそれぞれ有することを特徴とする画像処理システムの画像処理方法。
【請求項１８】
送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムの制御方法であって、
前記サーバ装置は、
前記宛先データと前記機器を指定する送信依頼先データとを関連付けて前記アドレス帳に登録するアドレス登録工程と、
前記画像処理装置からの前記アドレス帳の参照要求を受け付ける工程と、
前記参照要求を受けて、前記アドレス登録工程で前記アドレス帳に登録された前記宛先データと前記送信依頼先データを、前記参照要求を送った前記画像処理装置に送信する工程と、
前記宛先データと前記送信依頼先データを送信する際に、前記アドレス登録工程で登録される前記送信依頼先データとして、前記機器のうちの送信依頼受け付け可能な機器を選択することを示す動的選択識別子を登録する工程と、
前記送信依頼先データが前記動的選択識別子であるか否かを判定する工程と、
前記送信依頼先データが前記動的選択識別子である場合に、前記機器が送信依頼受け付け可能な状態か否かを判定する工程と、
前記送信依頼受け付け可能な状態と判定された機器を指定する送信依頼先データと、前記宛先データとを前記画像処理装置に送信する工程とを有し、
前記画像処理装置は、
前記アドレス登録工程により登録された前記宛先データと前記送信依頼先データを指定するアドレス指定工程と、
前記アドレス指定工程で指定された前記宛先データと前記送信依頼先データの参照要求を前記サーバ装置に送信する工程と、
前記参照要求に基づいて前記サーバ装置から送信される前記宛先データと前記送信依頼先データを受信する受信工程と、
送信を目的とする画像を指定する画像指定工程と、
前記画像指定工程で指定した画像と前記受信工程で受信した宛先データとを、前記受信工程で受信した送信依頼先データにより指定される前記機器に送信する工程とを備えたことを特徴とする画像処理システムの制御方法。
【請求項１９】
送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムの画像処理方法であって、
前記サーバ装置は、
前記宛先データと前記機器を指定する送信依頼先データとを関連付けて前記アドレス帳に登録するアドレス登録工程と、
前記画像処理装置からの前記アドレス帳の参照要求を受け付ける工程と、
前記参照要求を受けて、前記アドレス登録工程で前記アドレス帳に登録された前記宛先データと前記送信依頼先データを、前記参照要求を送った前記画像処理装置に送信する工程と、
前記宛先データと前記送信依頼先データを送信する際に、前記アドレス登録工程で登録される前記送信依頼先データとして、前記２つ以上の機器のうち所定の複数の機器において送信依頼受け付け可能な機器を選択することを示す動的選択識別子を登録する工程と、
前記送信依頼先データが前記動的選択識別子であるか否かを判定する工程と、
前記送信依頼先データが前記動的選択識別子である場合に、前記機器が送信依頼受け付け可能な状態か否かを判定する工程と、
前記送信依頼受け付け可能な状態と判定された機器を指定する送信依頼先データと、前記宛先データとを前記画像処理装置に送信する工程とを有し、
前記画像処理装置は、
前記アドレス登録工程により登録された前記宛先データと前記送信依頼先データを指定するアドレス指定工程と、
前記アドレス指定工程で指定された前記宛先データと前記送信依頼先データの参照要求を前記サーバ装置に送信する工程と、
前記参照要求に基づいて前記サーバ装置から送信される前記宛先データと前記送信依頼先データを受信する受信工程と、
送信を目的とする画像を指定する画像指定工程と、
前記画像指定工程で指定した画像と前記受信工程で受信した宛先データとを、前記受信工程で受信した送信依頼先データにより指定される前記機器に送信する工程とを有することを特徴とする画像処理システムの画像処理方法。
【請求項２０】
送信依頼された画像を指定の宛先に送信する送信依頼受付機能を有する機器が複数設置されたネットワークに接続され、前記指定の宛先を示す宛先データが登録されるアドレス帳を有する画像処理装置の画像処理方法を実行するための、コンピュータで読み取り可能なプログラムであって、
前記機器を指定する送信依頼先データと前記宛先データとを関連付けて前記アドレス帳に登録するアドレス登録工程と、
前記アドレス登録工程により登録された前記宛先データと前記送信依頼先データを指定するアドレス指定工程と、
送信を目的とする画像を指定する画像指定工程と、
前記画像指定工程で指定した画像と前記アドレス指定工程で指定した前記宛先データとを、前記アドレス指定工程で指定した前記送信依頼先データにより指定される前記機器に送信する工程とを有することを特徴とするプログラム。
【請求項２１】
送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置の画像処理方法を実行するための、コンピュータで読み取り可能なプログラムであって、
前記宛先データと前記機器を指定する送信依頼先データとを関連付けて前記アドレス帳に登録するアドレス登録工程と、
前記他の画像処理装置からの前記アドレス帳の参照要求を受け付ける工程と、
前記参照要求を受けて、前記アドレス登録工程で前記アドレス帳に登録された前記宛先データと前記送信依頼先データを、前記参照要求を送った前記他の画像処理装置に送信する工程とを有することを特徴とするプログラム。
【請求項２２】
送信依頼された画像を指定の宛先に送信する送信依頼受付機能を有する機器が複数設置されたネットワークに接続され、前記指定の宛先を示す宛先データが登録されるアドレス帳を有する画像処理装置の画像処理方法を実行するための、コンピュータで読み取り可能なプログラムであって、
前記機器を指定する送信依頼先データと前記宛先データとを関連付けて前記アドレス帳に登録するアドレス登録工程と、
前記アドレス登録工程により登録された前記宛先データと前記送信依頼先データを指定するアドレス指定工程と、
送信を目的とする画像を指定する画像指定工程と、
前記画像指定工程で指定した画像と前記アドレス指定工程で指定した前記宛先データとを、前記アドレス指定工程で指定した前記送信依頼先データにより指定される前記機器に送信する工程とを有することを特徴とするプログラム。
【請求項２３】
送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置の画像処理方法を実行するための、コンピュータで読み取り可能なプログラムであって、
前記宛先データと前記機器を指定する送信依頼先データとを関連付けて前記アドレス帳に登録するアドレス登録工程と、
前記他の画像処理装置からの前記アドレス帳の参照要求を受け付ける工程と、
前記参照要求を受けて、前記アドレス登録工程で前記アドレス帳に登録された前記宛先データと前記送信依頼先データを、前記参照要求を送った前記他の画像処理装置に送信する工程とを有することを特徴とするプログラム。
【請求項２４】
送信依頼された画像を宛先データで指定される宛先に送信する送信依頼受付機能を有する機器が２つ以上接続されたネットワーク上に配された、アドレス帳を有するサーバ装置と通信することが可能な複数の画像処理装置のそれぞれの画像処理方法を実行するための、コンピュータで読み取り可能なプログラムであって、
前記サーバ装置のアドレス帳に登録されている前記宛先データと前記機器を指定する送信依頼先データを指定するアドレス指定工程と、
前記アドレス指定工程で指定された前記宛先データと前記送信依頼先データの参照要求を前記サーバ装置に送信する工程と、
前記参照要求に基づいて前記サーバ装置から送信される前記宛先データと前記送信依頼先データを受信する受信工程と、
送信を目的とする画像を指定する画像指定工程と、
前記画像指定工程で指定した画像と前記受信工程で受信した宛先データとを、前記受信工程で受信した送信依頼先データにより指定される前記機器に送信する工程とをそれぞれ有することを特徴とするプログラム。
【発明の詳細な説明】
【技術分野】
【０００１】
本発明は、画像の送信依頼を受け付ける機能を有するファックス送信機などの機器が複数設置されたネットワーク上の画像処理装置及びその画像処理方法、前記画像処理装置を有する画像処理システム、並びに前記画像処理方法を実現するためのプログラムに関する。
【背景技術】
【０００２】
従来より、クライアント装置からサーバ装置に対して画像データと宛先データを送信し、サーバ装置が前記画像データを前記宛先データで指定される宛先へ送信することが実現されている（例えば特許文献１参照）。クライアント装置やサーバ装置がＭＦＰ（Ｍｕｌｔｉｐｌｅ  Ｆｕｎｃｔｉｏｎ  Ｐｅｒｉｐｈｅｒａｌ）で構成されるものも知られている。
【０００３】
一方、ＭＦＰにはアドレス帳機能があり、宛先を登録しておくことが可能となっている。また、ＭＦＰにおけるクライアント装置からサーバ装置へ処理依頼を行う技術として、アドレス帳の参照依頼も実現している。
【０００４】
図２７は、従来のネットワークシステムの一構成例を示す模式図である。
【０００５】
このネットワークシステムは、クライアント装置５０１、サーバ装置５０２、及び複数のファックス送信機５１１，５１２で構成されている。サーバ装置５０２はアドレス帳５０２ａを有し、クライアント装置５０１は、サーバ装置５０２のアドレス帳５０２ａを参照することができるようになっている。
【０００６】
一般的な送信においては、どこから送信したかという送信元の情報が画像ヘッダとして付与されたり、プロトコル上のデータとして送信される。受信機が、この送信元の情報によって、画像の転送設定を行っていたり、文書画像の振り分けをしていたりすることを考慮すると、同じ相手先には同じ送信元から送ることが求められる。
【特許文献１】特開２００６−２２２６３５号公報
【発明の開示】
【発明が解決しようとする課題】
【０００７】
しかしながら、上記従来技術では次のような問題点があった。
【０００８】
（１）例えば図２７に示した例では、管理者は「０１２３４」という相手先の電話番号をファックス送信機５１２から発信させるつもりでアドレス帳に登録する。それにも拘わらず、クライアント装置５０１からアドレス帳を参照した際には、ファックス送信機５１１，５１２のどちらに発信を依頼するかはクライアント装置５０１で決められてしまう。即ち、送信依頼を受けられる機器が複数あっても、どこから送信するかを指定するアドレスの登録の方法がなかった。つまり、図２７の例では、サーバ装置５０２のアドレス帳５０２ａにアドレスを登録する際、ファックス送信機５１１から送信するアドレスであるのか、ファックス送信機，５１２から送信するアドレスであるのかを設定することができない。
【０００９】
（２）送信依頼を行うクライアント装置が複数ある場合、次のような運用も要求される。例えば、送信依頼を行うクライアント装置がオフィス内の各部門別にそれぞれ設置されているとする。各クライアント装置がそれぞれで同じファックス送信機に画像を送信したとしても、該ファックス送信機においては、送信元の情報によって文書画像の転送先を振り分けたいというような要求がある。しかし、従来では、このような要求を満たすような手段がなかった。
【００１０】
（３）ファックス送信機側において転送設定や文書画像の振り分けを行っていないことが明確である場合は、送信依頼を行うクライアント装置で適宜にファックス送信機を選択することが要求される。つまり、複数のファックス送信機のうち、いずれから画像を送信するかは問わないで、なるべく待機時間を少なくする運用も要求される。しかし、従来では、このような要求を満たすような手段がなかった。
【００１１】
本発明は上記従来の問題点に鑑み、下記の少なくとも１つを達成させる画像処理装置及びその画像処理方法、画像処理システム、並びにプログラムを提供することを目的とする。即ち、
（１）宛先を登録する際に送信元を指定する方法を提供し、画像を送信する際に、同じ宛先には同じ送信元から送ることできるようにする。
【００１２】
（２）宛先を登録する際に宛先を参照する画像処理装置毎に送信元を指定する方法を提供し、それらの画像処理装置によって送信元を振り分けることができるようにする。
【００１３】
（３）送信依頼が可能な画像処理装置から適宜選択して送信を行うことができるようにする。
【課題を解決するための手段】
【００１４】
本発明は上記目的を達成するため、送信依頼された画像を指定の宛先に送信する送信依頼受付機能を有する機器が複数設置されたネットワークに接続され、前記指定の宛先を示す宛先データが登録されるアドレス帳を有する画像処理装置において、前記機器を指定する送信依頼先データと前記宛先データとを関連付けて前記アドレス帳に登録するアドレス登録手段と、前記アドレス登録手段により登録された前記宛先データと前記送信依頼先データを指定するアドレス指定手段と、送信を目的とする画像を指定する画像指定手段と、前記画像指定手段で指定した画像と前記アドレス指定手段で指定した前記宛先データとを、前記アドレス指定手段で指定した前記送信依頼先データにより指定される前記機器に送信する手段とを備えたことを特徴とする。
【００１５】
また、本発明は、送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置であって、前記宛先データと前記機器を指定する送信依頼先データとを関連付けて前記アドレス帳に登録するアドレス登録手段と、前記他の画像処理装置からの前記アドレス帳の参照要求を受け付ける手段と、前記参照要求を受けて、前記アドレス登録手段で前記アドレス帳に登録された前記宛先データと前記送信依頼先データを、前記参照要求を送った前記他の画像処理装置に送信する手段とを備えたことを特徴とする。
【００１６】
また、本発明は、送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムであって、前記サーバ装置は、前記宛先データと前記機器を指定する送信依頼先データとを関連付けて前記アドレス帳に登録するアドレス登録手段と、前記画像処理装置からの前記アドレス帳の参照要求を受け付ける手段と、前記参照要求を受けて、前記アドレス登録手段で前記アドレス帳に登録された前記宛先データと前記送信依頼先データを、前記参照要求を送った前記画像処理装置に送信する手段とを有し、前記画像処理装置は、前記アドレス登録手段により登録された前記宛先データと前記送信依頼先データを指定するアドレス指定手段と、前記アドレス指定手段で指定された前記宛先データと前記送信依頼先データの参照要求を前記サーバ装置に送信する手段と、前記サーバ装置から送信される前記宛先データと前記送信依頼先データを受信する受信手段と、送信を目的とする画像を指定する画像指定手段と、前記画像指定手段で指定した画像と前記受信手段で受信した宛先データとを、前記受信手段で受信した送信依頼先データにより指定される前記機器に送信する手段とを備えたことを特徴とする。
【００１７】
また、本発明は、送信依頼された画像を宛先データで指定される宛先に送信する送信依頼受付機能を有する機器が２つ以上接続されたネットワーク上に配された、アドレス帳を有するサーバ装置と通信することが可能な複数の画像処理装置であって、前記各画像処理装置は、前記サーバ装置のアドレス帳に登録されている前記宛先データと前記機器を指定する送信依頼先データを指定するアドレス指定手段と、前記アドレス指定手段で指定された前記宛先データと前記送信依頼先データの参照要求を前記サーバ装置に送信する手段と、前記参照要求に基づいて前記サーバ装置から送信される前記宛先データと前記送信依頼先データを受信する受信手段と、送信を目的とする画像を指定する画像指定手段と、前記画像指定手段で指定した画像と前記受信手段で受信した宛先データとを、前記受信手段で受信した送信依頼先データにより指定される前記機器に送信する手段とをそれぞれ備えたことを特徴とする。
【００１８】
また、本発明は、送信依頼された画像を宛先データで指定される宛先に送信する送信依頼受付機能を有する機器に送信する機器が２つ以上接続されたネットワーク上に配された、アドレス帳を有するサーバ装置と、前記サーバ装置と前記ネットワークを介して通信することが可能な複数の画像処理装置とを備えた画像処理システムであって、前記サーバ装置は、前記宛先データと前記機器を指定する送信依頼先データとを関連付けて前記アドレス帳に登録するアドレス登録手段と、前記画像処理装置からの前記アドレス帳の参照要求を受け付ける手段と、前記参照要求を受けて、前記アドレス登録手段で前記アドレス帳に登録された前記宛先データと前記送信依頼先データを、前記参照要求を送った画像処理装置に送信する手段とを備え、前記各画像処理装置は、前記サーバ装置のアドレス帳に登録されている前記宛先データと前記送信依頼先データを指定するアドレス指定手段と、前記アドレス指定手段で指定された前記宛先データと前記送信依頼先データの参照要求を前記サーバ装置に送信する手段と、前記参照要求に基づいて前記サーバ装置から送信される前記宛先データと前記送信依頼先データを受信する受信手段と、送信を目的とする画像を指定する画像指定手段と、前記画像指定手段で指定した画像と前記受信手段で受信した宛先データとを、前記受信手段で受信した送信依頼先データにより指定される前記機器に送信する手段とをそれぞれ備えたことを特徴とする。
【００１９】
また、本発明は、送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムであって、前記サーバ装置は、前記宛先データと前記機器を指定する送信依頼先データとを関連付けて前記アドレス帳に登録するアドレス登録手段と、前記画像処理装置からの前記アドレス帳の参照要求を受け付ける手段と、前記参照要求を受けて、前記アドレス登録手段で前記アドレス帳に登録された前記宛先データと前記送信依頼先データを、前記参照要求を送った前記画像処理装置に送信する手段と、前記宛先データと前記送信依頼先データを送信する際に、前記アドレス登録手段で登録される前記送信依頼先データとして、前記機器のうちの送信依頼受け付け可能な機器を選択することを示す動的選択識別子を登録する手段と、前記送信依頼先データが前記動的選択識別子であるか否かを判定する手段と、前記送信依頼先データが前記動的選択識別子である場合に、前記機器が送信依頼受け付け可能な状態か否かを判定する手段と、前記送信依頼受け付け可能な状態と判定された機器を指定する送信依頼先データと、前記宛先データとを前記画像処理装置に送信する手段とを有し、前記画像処理装置は、前記アドレス登録手段により登録された前記宛先データと前記送信依頼先データを指定するアドレス指定手段と、前記アドレス指定手段で指定された前記宛先データと前記送信依頼先データの参照要求を前記サーバ装置に送信する手段と、前記参照要求に基づいて前記サーバ装置から送信される前記宛先データと前記送信依頼先データを受信する受信手段と、送信を目的とする画像を指定する画像指定手段と、前記画像指定手段で指定した画像と前記受信手段で受信した宛先データとを、前記受信手段で受信した送信依頼先データにより指定される前記機器に送信する手段とを備えたことを特徴とする。
【００２０】
また、本発明は、送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムであって、前記サーバ装置は、前記宛先データと前記機器を指定する送信依頼先データとを関連付けて前記アドレス帳に登録するアドレス登録手段と、前記画像処理装置からの前記アドレス帳の参照要求を受け付ける手段と、前記参照要求を受けて、前記アドレス登録手段で前記アドレス帳に登録された前記宛先データと前記送信依頼先データを、前記参照要求を送った前記画像処理装置に送信する手段と、前記宛先データと前記送信依頼先データを送信する際に、前記アドレス登録手段で登録される前記送信依頼先データとして、前記２つ以上の機器のうち所定の複数の機器において送信依頼受け付け可能な機器を選択することを示す動的選択識別子を登録する手段と、前記送信依頼先データが前記動的選択識別子であるか否かを判定する手段と、前記機器が送信依頼受け付け可能な状態か否かを判定する手段と、前記送信依頼先データが前記動的選択識別子である場合に、前記送信依頼受け付け可能な状態と判定された機器を指定する送信依頼先データと、前記宛先データとを前記画像処理装置に送信する手段とを有し、前記画像処理装置は、前記アドレス登録手段により登録された前記宛先データと前記送信依頼先データを指定するアドレス指定手段と、前記アドレス指定手段で指定された前記宛先データと前記送信依頼先データの参照要求を前記サーバ装置に送信する手段と、前記参照要求に基づいて前記サーバ装置から送信される前記宛先データと前記送信依頼先データを受信する受信手段と、送信を目的とする画像を指定する画像指定手段と、前記画像指定手段で指定した画像と前記受信手段で受信した宛先データとを、前記受信手段で受信した送信依頼先データにより指定される前記機器に送信する手段とを備えたことを特徴とする。
【００２１】
また、本発明は、送信依頼された画像を指定の宛先に送信する送信依頼受付機能を有する機器が複数設置されたネットワークに接続され、前記指定の宛先を示す宛先データが登録されるアドレス帳を有する画像処理装置の画像処理方法であって、前記機器を指定する送信依頼先データと前記宛先データとを関連付けて前記アドレス帳に登録するアドレス登録工程と、前記アドレス登録工程により登録された前記宛先データと前記送信依頼先データを指定するアドレス指定工程と、送信を目的とする画像を指定する画像指定工程と、前記画像指定工程で指定した画像と前記アドレス指定工程で指定した前記宛先データとを、前記アドレス指定工程で指定した前記送信依頼先データにより指定される前記機器に送信する工程とを有することを特徴とする。
【００２２】
また、本発明は、送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置の画像処理方法であって、前記宛先データと前記機器を指定する送信依頼先データとを関連付けて前記アドレス帳に登録するアドレス登録工程と、前記他の画像処理装置からの前記アドレス帳の参照要求を受け付ける工程と、前記参照要求を受けて、前記アドレス登録工程で前記アドレス帳に登録された前記宛先データと前記送信依頼先データを、前記参照要求を送った前記他の画像処理装置に送信する工程とを有することを特徴とする。
【００２３】
また、本発明は、送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムの画像処理方法であって、前記サーバ装置は、前記宛先データと前記機器を指定する送信依頼先データとを関連付けて前記アドレス帳に登録するアドレス登録工程と、前記画像処理装置からの前記アドレス帳の参照要求を受け付ける工程と、前記参照要求を受けて、前記アドレス登録工程で前記アドレス帳に登録された前記宛先データと前記送信依頼先データを、前記参照要求を送った前記画像処理装置に送信する工程とを有し、前記画像処理装置は、前記アドレス登録工程により登録された前記宛先データと前記送信依頼先データを指定するアドレス指定工程と、前記アドレス指定工程で指定された前記宛先データと前記送信依頼先データの参照要求を前記サーバ装置に送信する工程と、前記サーバ装置から送信される前記宛先データと前記送信依頼先データを受信する受信工程と、送信を目的とする画像を指定する画像指定工程と、前記画像指定工程で指定した画像と前記受信工程で受信した宛先データとを、前記受信工程で受信した送信依頼先データにより指定される前記機器に送信する工程とを備えたことを特徴とする。
【００２４】
また、本発明は、送信依頼された画像を宛先データで指定される宛先に送信する送信依頼受付機能を有する機器が２つ以上接続されたネットワーク上に配された、アドレス帳を有するサーバ装置と通信することが可能な複数の画像処理装置の画像処理方法であって、前記各画像処理装置は、前記サーバ装置のアドレス帳に登録されている前記宛先データと前記機器を指定する送信依頼先データを指定するアドレス指定工程と、前記アドレス指定工程で指定された前記宛先データと前記送信依頼先データの参照要求を前記サーバ装置に送信する工程と、前記参照要求に基づいて前記サーバ装置から送信される前記宛先データと前記送信依頼先データを受信する受信工程と、送信を目的とする画像を指定する画像指定工程と、前記画像指定工程で指定した画像と前記受信工程で受信した宛先データとを、前記受信工程で受信した送信依頼先データにより指定される前記機器に送信する工程とをそれぞれ有することを特徴とする。
【００２５】
また、本発明は、送信依頼された画像を宛先データで指定される宛先に送信する送信依頼受付機能を有する機器に送信する機器が２つ以上接続されたネットワーク上に配された、アドレス帳を有するサーバ装置と、前記サーバ装置と前記ネットワークを介して通信することが可能な複数の画像処理装置とを備えた画像処理システムの画像処理方法であって、前記サーバ装置は、前記宛先データと前記機器を指定する送信依頼先データとを関連付けて前記アドレス帳に登録するアドレス登録工程と、前記画像処理装置からの前記アドレス帳の参照要求を受け付ける工程と、前記参照要求を受けて、前記アドレス登録工程で前記アドレス帳に登録された前記宛先データと前記送信依頼先データを、前記参照要求を送った画像処理装置に送信する工程とを有し、前記各画像処理装置は、前記サーバ装置のアドレス帳に登録されている前記宛先データと前記送信依頼先データを指定するアドレス指定工程と、前記アドレス指定工程で指定された前記宛先データと前記送信依頼先データの参照要求を前記サーバ装置に送信する工程と、前記参照要求に基づいて前記サーバ装置から送信される前記宛先データと前記送信依頼先データを受信する受信工程と、送信を目的とする画像を指定する画像指定工程と、前記画像指定工程で指定した画像と前記受信工程で受信した宛先データとを、前記受信工程で受信した送信依頼先データにより指定される前記機器に送信する工程とをそれぞれ有することを特徴とする。
【００２６】
また、本発明は、送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムの制御方法であって、前記サーバ装置は、前記宛先データと前記機器を指定する送信依頼先データとを関連付けて前記アドレス帳に登録するアドレス登録工程と、前記画像処理装置からの前記アドレス帳の参照要求を受け付ける工程と、前記参照要求を受けて、前記アドレス登録工程で前記アドレス帳に登録された前記宛先データと前記送信依頼先データを、前記参照要求を送った前記画像処理装置に送信する工程と、前記宛先データと前記送信依頼先データを送信する際に、前記アドレス登録工程で登録される前記送信依頼先データとして、前記機器のうちの送信依頼受け付け可能な機器を選択することを示す動的選択識別子を登録する工程と、前記送信依頼先データが前記動的選択識別子であるか否かを判定する工程と、前記送信依頼先データが前記動的選択識別子である場合に、前記機器が送信依頼受け付け可能な状態か否かを判定する工程と、前記送信依頼受け付け可能な状態と判定された機器を指定する送信依頼先データと、前記宛先データとを前記画像処理装置に送信する工程とを有し、前記画像処理装置は、前記アドレス登録工程により登録された前記宛先データと前記送信依頼先データを指定するアドレス指定工程と、前記アドレス指定工程で指定された前記宛先データと前記送信依頼先データの参照要求を前記サーバ装置に送信する工程と、前記参照要求に基づいて前記サーバ装置から送信される前記宛先データと前記送信依頼先データを受信する受信工程と、送信を目的とする画像を指定する画像指定工程と、前記画像指定工程で指定した画像と前記受信工程で受信した宛先データとを、前記受信工程で受信した送信依頼先データにより指定される前記機器に送信する工程とを備えたことを特徴とする。
【００２７】
また、本発明は、送信依頼された画像を宛先データで指定される宛先に送信する送信依頼受付機能を有する機器が２つ以上接続されたネットワーク上に配された、アドレス帳を有するサーバ装置と、前記サーバ装置と前記ネットワークを介して通信することが可能な画像処理装置とを備えた画像処理システムの画像処理方法であって、前記サーバ装置は、前記宛先データと前記機器を指定する送信依頼先データとを関連付けて前記アドレス帳に登録するアドレス登録工程と、前記画像処理装置からの前記アドレス帳の参照要求を受け付ける工程と、前記参照要求を受けて、前記アドレス登録工程で前記アドレス帳に登録された前記宛先データと前記送信依頼先データを、前記参照要求を送った前記画像処理装置に送信する工程と、前記宛先データと前記送信依頼先データを送信する際に、前記アドレス登録工程で登録される前記送信依頼先データとして、前記２つ以上の機器のうち所定の複数の機器において送信依頼受け付け可能な機器を選択することを示す動的選択識別子を登録する工程と、前記送信依頼先データが前記動的選択識別子であるか否かを判定する工程と、前記送信依頼先データが前記動的選択識別子である場合に、前記機器が送信依頼受け付け可能な状態か否かを判定する工程と、前記送信依頼受け付け可能な状態と判定された機器を指定する送信依頼先データと、前記宛先データとを前記画像処理装置に送信する工程とを有し、前記画像処理装置は、前記アドレス登録工程により登録された前記宛先データと前記送信依頼先データを指定するアドレス指定工程と、前記アドレス指定工程で指定された前記宛先データと前記送信依頼先データの参照要求を前記サーバ装置に送信する工程と、前記参照要求に基づいて前記サーバ装置から送信される前記宛先データと前記送信依頼先データを受信する受信工程と、送信を目的とする画像を指定する画像指定工程と、前記画像指定工程で指定した画像と前記受信工程で受信した宛先データとを、前記受信工程で受信した送信依頼先データにより指定される前記機器に送信する工程とを有することを特徴とする。
【００２８】
また、本発明は、送信依頼された画像を指定の宛先に送信する送信依頼受付機能を有する機器が複数設置されたネットワークに接続され、前記指定の宛先を示す宛先データが登録されるアドレス帳を有する画像処理装置の画像処理方法を実行するための、コンピュータで読み取り可能なプログラムであって、前記機器を指定する送信依頼先データと前記宛先データとを関連付けて前記アドレス帳に登録するアドレス登録工程と、前記アドレス登録工程により登録された前記宛先データと前記送信依頼先データを指定するアドレス指定工程と、送信を目的とする画像を指定する画像指定工程と、前記画像指定工程で指定した画像と前記アドレス指定工程で指定した前記宛先データとを、前記アドレス指定工程で指定した前記送信依頼先データにより指定される前記機器に送信する工程とを有することを特徴とする。
【００２９】
また、本発明は、送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置の画像処理方法を実行するための、コンピュータで読み取り可能なプログラムであって、前記宛先データと前記機器を指定する送信依頼先データとを関連付けて前記アドレス帳に登録するアドレス登録工程と、前記他の画像処理装置からの前記アドレス帳の参照要求を受け付ける工程と、前記参照要求を受けて、前記アドレス登録工程で前記アドレス帳に登録された前記宛先データと前記送信依頼先データを、前記参照要求を送った前記他の画像処理装置に送信する工程とを有することを特徴とする。
【００３０】
また、本発明は、送信依頼された画像を指定の宛先に送信する送信依頼受付機能を有する機器が複数設置されたネットワークに接続され、前記指定の宛先を示す宛先データが登録されるアドレス帳を有する画像処理装置の画像処理方法を実行するための、コンピュータで読み取り可能なプログラムであって、前記機器を指定する送信依頼先データと前記宛先データとを関連付けて前記アドレス帳に登録するアドレス登録工程と、前記アドレス登録工程により登録された前記宛先データと前記送信依頼先データを指定するアドレス指定工程と、送信を目的とする画像を指定する画像指定工程と、前記画像指定工程で指定した画像と前記アドレス指定工程で指定した前記宛先データとを、前記アドレス指定工程で指定した前記送信依頼先データにより指定される前記機器に送信する工程とを有することを特徴とする。
【００３１】
また、本発明は、送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置の画像処理方法を実行するための、コンピュータで読み取り可能なプログラムであって、前記宛先データと前記機器を指定する送信依頼先データとを関連付けて前記アドレス帳に登録するアドレス登録工程と、前記他の画像処理装置からの前記アドレス帳の参照要求を受け付ける工程と、前記参照要求を受けて、前記アドレス登録工程で前記アドレス帳に登録された前記宛先データと前記送信依頼先データを、前記参照要求を送った前記他の画像処理装置に送信する工程とを有することを特徴とする。
【００３２】
また、本発明は、送信依頼された画像を宛先データで指定される宛先に送信する送信依頼受付機能を有する機器が２つ以上接続されたネットワーク上に配された、アドレス帳を有するサーバ装置と通信することが可能な複数の画像処理装置のそれぞれの画像処理方法を実行するための、コンピュータで読み取り可能なプログラムであって、前記サーバ装置のアドレス帳に登録されている前記宛先データと前記機器を指定する送信依頼先データを指定するアドレス指定工程と、前記アドレス指定工程で指定された前記宛先データと前記送信依頼先データの参照要求を前記サーバ装置に送信する工程と、前記参照要求に基づいて前記サーバ装置から送信される前記宛先データと前記送信依頼先データを受信する受信工程と、送信を目的とする画像を指定する画像指定工程と、前記画像指定工程で指定した画像と前記受信工程で受信した宛先データとを、前記受信工程で受信した送信依頼先データにより指定される前記機器に送信する工程とをそれぞれ有することを特徴とする。
【発明の効果】
【００３３】
本発明によれば、宛先データを登録する際に送信元を指定することができ、画像を送信する際に、同じ宛先には同じ送信元から送ることが可能になる。
【００３４】
または、宛先データを登録する際に宛先を参照する画像処理装置毎に送信元を指定することができ、それらの画像処理装置によって送信元を振り分けることが可能になる。
【００３５】
または、画像を送信する際に、送信依頼が可能な画像処理装置から適宜選択して送信を行うこと可能になる。
【発明を実施するための最良の形態】
【００３６】
以下、本発明の実施の形態について、図面を参照しながら説明する。
【００３７】
［第１の実施の形態］
＜第１の実施の形態の構成＞
図１は、本発明の第１の実施の形態に係る画像処理システムの構成例を示す模式図である。
【００３８】
本実施の形態における画像処理システムは、図１に示すように、画像処理装置Ｃ１−１、ＦＡＸ（ファックス）送信機Ｆ１−１、及びＦＡＸ送信機Ｆ１−２を有し、これらがネットワーク回線１０を介して接続されている。画像処理装置Ｃ１−１は、指定の宛先を示す宛先データ（電話番号）などが登録されるアドレス帳を有する。ＦＡＸ送信機Ｆ１−１，Ｆ１−２は、画像処理装置Ｃ１−１から送信依頼された画像を指定の宛先に送信する送信依頼受付機能を有する機器である。
【００３９】
図２（ａ）は、図１中の画像処理装置Ｃ１−１の構成例を示すブロック図である。
【００４０】
この画像処理装置Ｃ１−１は、ＣＰＵ１１、ＲＡＭ１２、ハードディスク装置１３、ユーザコマンド入力装置１５、ＵＩ表示装置１６、通信装置１７、及び読取装置１９を備え、これらがメインバス１８を介して接続されている。ＣＰＵ１１は、本画像処理装置の動作をプログラムに従って制御する。ＲＡＭ１２はＣＰＵ１１のワークエリアを提供し、そしてハードディスク装置１３は、本実施の形態に係るプログラムを記憶すると共に、各種の設定情報を記憶する。ハードディスク装置１３の代わりにフロッピー（登録商標）ディスクやＮＶＲＡＭ等を用いても良い。
【００４１】
また、ユーザコマンド入力装置１５は、ユーザ（使用者、設置者含む）がコマンドの入力を行うためのデバイスであり、キーボードなどで構成される。ＵＩ表示装置１６は画面表示を行う液晶ディスプレイ装置などで構成される。読取装置１９は、紙上の画像を電子データとして読み取るスキャナなどで構成される。通信装置１７はネットワーク回線１０を介して他機器と通信を行う装置である。
【００４２】
図２（ｂ）は、図１中のＦＡＸ送信機Ｆ１−１，Ｆ１−２の構成例を示す模式図である。
【００４３】
本実施の形態に係るＦＡＸ送信機Ｆ１−１，Ｆ１−２は、ＣＰＵ２１、ＲＡＭ２２、ハードディスク装置２３、ＦＡＸ通信装置２４、及び通信装置２７を備え、これらがメインバス２８を介して接続されている。
【００４４】
ＣＰＵ２１は、本機器の動作をプログラムに従って制御する。ＲＡＭ２２はＣＰＵ２１のワークエリアを提供し、そしてハードディスク装置２３は、本実施の形態に係るプログラムを記憶すると共に、各種の設定情報を記憶する。ハードディスク装置１３の代わりにフロッピー（登録商標）ディスクやＮＶＲＡＭ等を用いても良い。
【００４５】
また、ＦＡＸ通信装置２４は、他機器とファクシミリ通信による通信を行う装置であり、ＦＡＸ通信装置２４は回線を複数持っていても良い。通信装置２７はネットワーク回線１０を介して他機器と通信を行う装置である。
【００４６】
＜第１の実施の形態における画像処理装置の動作＞
次に、図３〜図１１を参照しつつ本実施の形態の画像処理装置Ｃ１−１の動作について詳細に説明する。図３〜図８は、第１の実施の形態に係る画像処理装置の動作を示すフローチャートである。この動作は、ハードディスク装置１３に格納されているプログラムコードをＣＰＵ１１が読み出して実行される。
【００４７】
本実施の形態のシステムが起動されると、画像処理装置Ｃ１−１のＣＰＵ１１は、ＵＩ表示装置１６において、ユーザに何のオペレーションを行うかの入力を促す。ＣＰＵ１１は、ユーザコマンド入力装置１５からユーザが入力したオペレーション選択を認識し、ＲＡＭ１２に記憶する（Ｓ１１０２）。オペレーションには例えば、「デフォルト動作指定」や、「アドレス帳登録」、「ＦＡＸ送信依頼実行」、「アドレス帳ファイル入力」、「アドレス帳ファイル出力」がある。ＣＰＵ１１はどのオペレーションであるかの判定を行う（Ｓ１１０３、Ｓ１１０４、Ｓ１１０５、Ｓ１１０６、Ｓ１１０７）。
【００４８】
（Ａ）デフォルト動作指定
まず、オペレーション判定が「デフォルト動作指定」である場合（Ｓ１１０３）について説明する。
【００４９】
ＣＰＵ１１は、ＵＩ表示装置１６に、送信依頼先のＦＡＸ送信機に送信依頼を実行できなかった場合の動作の決定を促す画面を表示する（Ｓ１２０１）。この画面の一例を図９に示す。ＣＰＵ１１は、この表示に対するユーザ入力をユーザコマンド入力装置１５から受け付け、その入力が「送信を中止する」（図９の９１）であるか、或いは「以下のＦＡＸ送信機に依頼する」（図９の９２）であるかを判定する（Ｓ１２０２）。
【００５０】
もしＳ１２０２の判定が「送信を中止する」である場合、Ｓ１２０３を実行する。この場合、デフォルト送信依頼先として「ＮＯＴＨＩＮＧ」をハードディスク装置１３に保存する（Ｓ１２０３）。その後、Ｓ１２０５を実行する。もしＳ１２０２の判定が「以下のＦＡＸ送信機に依頼する」である場合、Ｓ１２０４を実行する。Ｓ１２０４では、デフォルトの送信依頼先として、ユーザコマンド入力装置１５から入力されたＦＡＸ送信機のＩＰアドレス（図９の９３）と回線番号（図９の９４）をハードディスク装置１３に保存する。送信依頼先ＩＰとして保存するデータには、例えば、「ＩＰアドレス」や、「ホスト名」、自機を示す識別子である「ＬＯＣＡＬＨＯＳＴ」がある。以降、本実施の形態において送信依頼先ＩＰとして登場するデータは全て同様である。その後、Ｓ１２０５を実行する。Ｓ１２０２〜Ｓ１２０４の処理を一度も実行していない場合の、デフォルト送信依頼先の初期値としては「ＮＯＴＨＩＮＧ」がハードディスク装置１３に保存されている。
【００５１】
次に、ＣＰＵ１１は、ＵＩ表示装置１６に、アドレス帳を外部ファイルから入力する場合の動作の決定を促す画面を表示する（Ｓ１２０５）。その画面の一例を図１０に示す。そして、ＣＰＵ１１は、この表示に対するユーザ入力をユーザコマンド入力装置１５から受け付け、その入力が「自機以外に送信依頼を発行するアドレスをインポートしない」（図１０の１０１）であるかを判定する（Ｓ１２０６）。もしＳ１２０６の判定がＹＥＳである場合、Ｓ１２０８を実行する。この場合、デフォルト入力動作として「ＣＡＮＣＥＬ」をハードディスク装置１３に保存する（Ｓ１２０８）。その後、Ｓ１１０２に戻る。
【００５２】
もしＳ１２０６の判定がＮＯである場合、Ｓ１２０７を実行する。この場合、ユーザコマンド入力装置１５から受け付けられた入力が「自機以外に送信依頼を発行するアドレスを、送信依頼を発行しないアドレスに変更する」（図１０の１０２）であるかを判定する（Ｓ１２０７）。もしＳ１２０７の判定がＹＥＳである場合、Ｓ１２０９を実行する。この場合、デフォルト入力動作として「ＲＥＰＬＡＣＥ」をハードディスク装置１３に保存する（Ｓ１２０９）。その後、Ｓ１１０２に戻る。
【００５３】
もしＳ１２０７の判定がＮＯである場合、Ｓ１２１０を実行する。この場合、ユーザコマンド入力装置１５から受け付けられた入力が初期値の「アドレスをそのままインポートする」（図１０の１０３）であることになる。つまり、デフォルト入力動作として「ＮＯＲＭＡＬ」をハードディスク装置１３に保存する。その後、Ｓ１１０２に戻る。Ｓ１２０６〜Ｓ１２１０の処理を一度も実行していない場合の、デフォルト入力動作の初期値としては「ＮＯＲＭＡＬ」がハードディスク装置１３に保存されている。
【００５４】
（Ｂ）アドレス帳登録
次にオペレーション判定が「アドレス帳登録」である場合（Ｓ１１０４）について説明する。
【００５５】
ＣＰＵ１１はＵＩ表示装置１６にアドレス登録を促す画面を表示する（Ｓ１３０１）。その画面の一例を図１１に示す。Ｓ１３０１の表示に対するユーザ入力をユーザコマンド入力装置１５から受け付け、入力された電話番号（図１１の１１１）をアドレス帳のアドレスデータとしてハードディスク装置１３に保存する（Ｓ１３０２）。Ｓ１３０２と同様に、入力されたＦＡＸ送信機のＩＰアドレス（図１１の１１２）を送信依頼先ＩＰとして、Ｓ１３０２で保存したアドレスデータに紐付けて（関連付けて）保存する（Ｓ１３０３）。また、Ｓ１３０２と同様に、入力された回線番号（図１１の１１３）も送信依頼先回線として、Ｓ１３０２で保存したアドレスデータに紐付けて保存する（Ｓ１３０４）。その後、Ｓ１１０２に戻る。
【００５６】
なお、図１１の画面において、送信依頼先ＩＰとして、ＦＡＸ送信機の「ＩＰアドレス」や「回線番号」のほかに、自機を示す識別子である「ＬＯＣＡＬＨＯＳＴ」も指定することができる。「ＩＰアドレス」及び「回線番号」は、本実施の形態における画像処理システム内で唯一である絶対識別子であり、「ＬＯＣＡＬＨＯＳＴ」は自機を示す汎用識別子である。
【００５７】
（Ｃ）ＦＡＸ送信依頼実行
次に、オペレーション判定が「ＦＡＸ送信依頼実行」である場合（Ｓ１１０５）について説明する。
【００５８】
ＣＰＵ１１は、ＵＩ表示装置１６に、アドレス帳のアドレスデータと送信画像の指定を促す画面を表示する（Ｓ１４０１）。この時、指定される送信画像は、読取装置１９から読み込む画像でも良いし、ハードディスク装置１３に保存されている画像でも良い。次に、ＣＰＵ１１は、指定されたアドレスデータの送信依頼先ＩＰ、及び送信依頼先回線をハードディスク装置１３から取得し、送信依頼が可能かどうかを判定する（Ｓ１４０２）。もしＳ１４０２の判定が可能である場合、Ｓ１４０４を実行する。この場合、指定画像データ、指定アドレスデータの電話番号、及び指定アドレスデータの回線番号を、送信依頼先ＩＰから取得したＩＰアドレスのＦＡＸ送信機へ送信する（Ｓ１４０４）。その後、Ｓ１１０２に戻る。
【００５９】
もしＳ１４０２の判定が不可能である場合、Ｓ１４０３を実行する。この場合、ハードディスク装置１３に保存されているデフォルト送信依頼先を参照し、「ＮＯＴＨＩＮＧ」であるかどうかを判定する（Ｓ１４０３）。もしＳ１４０３の判定がＹＥＳである場合、Ｓ１４０５を実行する。この場合、送信を中止する（Ｓ１４０５）。その後、Ｓ１１０２に戻る。
【００６０】
もしＳ１４０３の判定がＮＯである場合、Ｓ１４０６を実行する。この場合、ハードディスク装置１３に保存されているデフォルト送信依頼先を参照し、デフォルト送信依頼先ＩＰとデフォルト送信依頼先回線のデータを取得する。そして、指定画像データ、指定アドレスデータの電話番号、及びデフォルト送信依頼先回線を、デフォルト送信依頼先ＩＰから取得したＩＰアドレスのＦＡＸ送信機へ送信する（Ｓ１４０６）。その後Ｓ１１０２に戻る。
【００６１】
（Ｄ）アドレス帳ファイル入力
次に、オペレーション判定が「アドレス帳ファイル入力」である場合（Ｓ１１０６）について説明する。
【００６２】
ＣＰＵ１１は、ＵＩ表示装置１６にアドレス帳ファイルの指定を促す画面を表示する（Ｓ１５０１）。そして、ＣＰＵ１１は、この表示に対するユーザ入力をユーザコマンド入力装置１５から受け付け、指定されたファイルをオープンし、ハードディスク装置１３のアドレス帳を走査する。そして、まずファイル終端であるかどうかを判定する（Ｓ１５０２）。もしＳ１５０２の判定がＹＥＳである場合、指定されたファイルをクローズして、Ｓ１１０２に戻る。もしＳ１５０２の判定がＮＯである場合、Ｓ１５０３を実行する。この場合、ファイルに保存されている電話番号をアドレス帳のアドレスデータとしてハードディスク装置１３に保存する（Ｓ１５０３）。
【００６３】
次にＣＰＵ１１は、ハードディスク装置１３に保存されているデフォルト入力動作を参照し、「ＮＯＲＭＡＬ」であるかどうかを判定する（Ｓ１５０４）。もしＳ１５０４がＹＥＳである場合、Ｓ１５０８を実行する。Ｓ１５０８では、Ｓ１５０３と同様に、ファイルに保存されているＦＡＸ送信機のＩＰアドレスを送信依頼先ＩＰとして、Ｓ１５０３で保存したアドレスデータに紐付けて保存する。
【００６４】
また、Ｓ１５０３と同様に、ファイルに保存されている回線番号も送信依頼先回線として、Ｓ１５０３で保存したアドレスデータに紐付けて保存する（Ｓ１５１０）。その後、Ｓ１５０２に戻る。もしＳ１５０４の判定がＮＯである場合、Ｓ１５０５を実行する。この場合、ハードディスク装置１３に保存されているデフォルト入力動作を参照し、「ＲＥＰＬＡＣＥ」であるかどうかを判定する（Ｓ１５０５）。もしＳ１５０５の判定がＹＥＳである場合、Ｓ１５０６を実行する。この場合、ファイルに保存されているＦＡＸ送信機のＩＰアドレスが自機のＩＰアドレスと一致するかどうかを判定する（Ｓ１５０６）。もしＳ１５０６の判定が一致である場合、Ｓ１５０８を実行する。もしＳ１５０６の判定が不一致である場合、Ｓ１５０９を実行する。Ｓ１５０９では、Ｓ１５０３と同様に、自機のＩＰアドレスを送信依頼先ＩＰとして、Ｓ１５０３で保存したアドレスデータに紐付けて保存する。
【００６５】
また、Ｓ１５０３と同様に、送信依頼先回線として「ＡＵＴＯ」を、Ｓ１５０３で保存したアドレスデータに紐付けて保存する（Ｓ１５１１）。「ＡＵＴＯ」とは、送信依頼先回線としてはどの回線番号でも構わないということを意味する汎用識別子である。その後、Ｓ１５０２に戻る。もしＳ１５０５の判定がＮＯである場合、Ｓ１５０７を実行する。この場合、ファイルに保存されているＦＡＸ送信機のＩＰアドレスが自機のＩＰアドレスと一致するかどうかを判定する（Ｓ１５０７）。もしＳ１５０７の判定が一致である場合、Ｓ１５０８を実行する。もしＳ１５０７の判定が不一致である場合、アドレス帳への保存を実行せず、Ｓ１５０２に戻る。
【００６６】
（Ｅ）アドレス帳ファイル出力
次に、オペレーション判定が「アドレス帳ファイル出力」である場合（Ｓ１１０７）について説明する。
【００６７】
ＣＰＵ１１は、ＵＩ表示装置１６にアドレス帳ファイルの出力先の指定を促す画面を表示する（Ｓ１６０１）。この表示に対するユーザ入力をユーザコマンド入力装置１５から受け付け、指定された出力先にファイルをクリエイトしオープンし、ハードディスク装置１３のアドレス帳を走査する。まずアドレス帳が終端であるかどうかを判定する（Ｓ１６０２）。もしＳ１６０２の判定がＹＥＳである場合、出力先のファイルをクローズして、Ｓ１１０２に戻る。
【００６８】
もしＳ１６０２の判定がＮＯである場合、Ｓ１６０３を実行する。この場合、アドレス帳のアドレスデータとしてハードディスク装置１３に保存されている電話番号を出力先のファイルのアドレスデータとして保存する（Ｓ１６０３）。
【００６９】
次にアドレス帳のアドレスデータとして保存されている送信依頼先ＩＰが「ＬＯＣＡＬＨＯＳＴ」であるかどうかを判定する（Ｓ１６０４）。もしＳ１６０４の判定がＹＥＳである場合、Ｓ１６０５を実行する。Ｓ１６０５では、Ｓ１６０３と同様に、自機のＩＰアドレスを送信依頼先ＩＰとして、Ｓ１６０３で保存したアドレスデータに紐付けて出力先のファイルに保存する。その後、Ｓ１６０７を実行する。
【００７０】
もしＳ１６０４の判定がＮＯである場合、Ｓ１６０６を実行する。この場合、アドレス帳のアドレスデータとして保存されているＦＡＸ送信機のＩＰアドレスを、送信依頼先ＩＰとして、Ｓ１６０３で保存したアドレスデータに紐付けて出力先のファイルに保存する（Ｓ１６０６）。その後、Ｓ１６０７を実行する。そして、Ｓ１６０３と同様に、アドレス帳のアドレスデータとして保存されている回線番号も送信依頼先回線として、Ｓ１６０３で保存したアドレスデータに紐付けて出力先のファイルに保存する（Ｓ１６０７）。その後、Ｓ１６０２に戻る。
【００７１】
＜第１の実施の形態に係る利点＞
本実施の形態によれば、画像処理装置Ｃ１−１は、画像の送信先である電話番号（宛先データ）と、送信依頼先データとしてのＦＡＸ送信機のＩＰアドレス及び回線番号とを紐付けてアドレス帳に登録する。そして、ユーザが、送信を目的とした画像と、アドレス帳に登録された前記宛先データと、前記送信依頼先データとをＵＩ表示装置１６の画面において指定する。すると、画像処理装置Ｃ１−１は、指定した画像と指定した電話番号とを、前記送信依頼先データにより指定されるＦＡＸ送信機に送信する。これにより、ユーザは画像の送信依頼時に送信依頼先を指定することができ、画像処理装置Ｃ１−１は、その指定に従って送信依頼先であるＦＡＸ送信機を決定することができる。
【００７２】
このように第１の実施の形態によれば、ユーザが宛先を登録する際に、送信元（ＦＡＸ送信機）を指定する方法を提供することができ、同じ宛先には同じ送信元から送ること可能となる。
【００７３】
＜第１の実施の形態に係る変形例＞
本実施の形態では、画像処理装置Ｃ１−１であるクライアント装置内にアドレス帳を設けて、これを参照したが、画像処理装置Ｃ１−１が接続されるネットワーク上のサーバ装置に、参照すべきアドレス帳を設置する構成であっても構わない。この場合のクライアント装置及びサーバ装置の動作は、上述した画像処理装置Ｃ１−１の動作に準ずる。
【００７４】
即ち、サーバ装置は、画像の送信先である電話番号（宛先データ）と、送信依頼先データとしてのＦＡＸ送信機のＩＰアドレス及び回線番号とを紐付けてアドレス帳に登録する。また、クライアント装置からの前記アドレス帳の参照要求を受け付ける。そして、サーバ装置は、前記参照要求を受けて、前記アドレス帳に登録された前記宛先データと前記送信依頼先データを、前記参照要求を送ったクライアント装置Ｃ１−１に送信する。
【００７５】
一方、画像処理装置であるクライアント装置は、前記アドレス帳において登録された前記宛先データと前記送信依頼先データを指定し、その指定された宛先データと送信依頼先データの参照要求をサーバ装置に送信する。そして、送信を目的として指定された画像と前記宛先データとを、前記送信依頼先データにより指定されるＦＡＸ送信機に送信する。
【００７６】
［第２の実施の形態］
次に、本発明の第２の実施の形態について説明する。
【００７７】
＜第２の実施の形態の構成＞
図１２は、本発明の第２の実施の形態に係る画像処理システムの構成例を示す模式図である。
【００７８】
本実施の形態における画像処理システムは、ネットワーク上に、送信依頼を行う画像処理装置が複数台配置されているのが特徴である。即ち、図１３に示すように、本画像処理システムは、画像処理装置であるクライアント装置Ｃ２−１，Ｃ２−２、アドレス帳を有するサーバ装置Ｓ２−１、ＦＡＸ送信機Ｆ２−１，Ｆ２−２を有し、これらがネットワーク回線１０を介して接続されている。
【００７９】
図１３は、図１２中のサーバ装置Ｓ２−１の構成例を示すブロック図である。
【００８０】
このサーバ装置Ｓ２−１は、ＣＰＵ４１、ＲＡＭ４２、ハードディスク装置４３、ユーザコマンド入力装置４５、ＵＩ表示装置４６、及び通信装置４７を備え、これらがメインバス４８を介して接続されている。ＣＰＵ４１は、本サーバ装置の動作をプログラムに従って制御する。ＲＡＭ４２はＣＰＵ４１のワークエリアを提供し、そしてハードディスク装置４３は、本実施の形態に係るプログラムを記憶すると共に、各種の設定情報を記憶する。ハードディスク装置４３の代わりにフロッピー（登録商標）ディスクやＮＶＲＡＭ等を用いても良い。
【００８１】
また、ユーザコマンド入力装置４５は、ユーザ（使用者、設置者を含む）がコマンドの入力を行うためのデバイスであり、キーボードなどで構成される。ＵＩ表示装置４６は画面表示を行う液晶ディスプレイ装置などで構成される。通信装置４７はネットワーク回線１０を介して他機器と通信を行う装置である。
【００８２】
なお、本実施の形態におけるクライアント装置Ｃ２−１，Ｃ２−２の構成は、上述した第１の実施の形態における画像処理装置Ｃ１−１（図２（ａ））の構成と同じである。また、ＦＡＸ送信機Ｆ２−１，Ｆ２−２は、ＦＡＸ送信機Ｆ１−１，Ｆ１−２（図２（ｂ））の構成と同じである。
【００８３】
＜第２の実施の形態におけるサーバ装置の動作＞
次に、第２の実施の形態におけるサーバ装置Ｓ２−１の動作について説明する。
【００８４】
図１４、図１５、及び図１６は、第２の実施の形態におけるサーバ装置Ｓ２−１の動作を示すフローチャートである。
【００８５】
本実施の形態の画像処理システムが起動されると、サーバ装置Ｓ２−１のＣＰＵ４１は、ユーザコマンド入力装置４５からのユーザの入力、又は通信装置４７からの入力を認識する（Ｓ２１０２）。この入力には、例えば、ユーザからの「アドレス帳登録」に関するオペレーションの選択や、クライアント装置Ｃ２−１又はＣ２−２からのアドレス帳の参照要求などがある。サーバ装置Ｓ２−１のＣＰＵ４１はどの入力であるかの判定を行う（Ｓ２１０３、Ｓ２１０４）。
【００８６】
（Ａ）アドレス帳登録
まず、入力判定が「アドレス帳登録」というオペレーションの選択である場合（図１４のＳ２１０３）について説明する。
【００８７】
サーバ装置Ｓ２−１のＣＰＵ４１は、ＵＩ表示装置４６にアドレス帳登録を促す画面を表示する（図１５のＳ２２０１）。その画面の一例を図１７に示す。この画面では、図１７に示すように、送信依頼先であるＦＡＸ送信機の電話番号と、ＦＡＸ送信機のＩＰアドレス及び回線番号を入力することができるようになっている。
【００８８】
ＣＰＵ４１は、図１７の画面の表示に対するユーザ入力をユーザコマンド入力装置４５から受け付け、入力された電話番号をアドレス帳のアドレスデータとしてハードディスク４３に保存する（Ｓ２２０２）。次に、Ｓ２２０２と同様に、入力されたＦＡＸ送信機のＩＰアドレスをノーマル送信依頼先ＩＰとして、Ｓ２２０２で保存したアドレスデータに紐付けて保存する（Ｓ２３０３）。また、Ｓ２３０２と同様に、入力された回線番号もノーマル送信依頼先回線として、Ｓ２２０２で保存したアドレスデータに紐付けて保存する（Ｓ２２０４）。
【００８９】
次に、ＣＰＵ４１は、ユーザコマンド入力装置４５から受け付けたユーザ入力が「入力完了」であるかどうかを判定する。もしＳ２２０５の判定が「入力完了」である場合、Ｓ２１０２へ戻る。もしＳ２２０５の判定が「入力完了」でない場合、Ｓ２２０６を実行する。Ｓ２２０６では、サーバ装置Ｓ２−１は、ＵＩ表示装置４６にクライアント装置毎の送信依頼先の登録を促す画面を表示する。その画面の一例を図１８に示す。この画面では、図１８に示すように、クライアント装置のＩＰアドレス、送信依頼先であるＦＡＸ送信機のＩＰアドレス及び回線番号を入力することができるようになっている。ＣＰＵ４１は、図１８の画面の表示に対するユーザ入力をユーザコマンド入力装置４５から受け付け、入力されたクライアント装置のＩＰアドレスをＳ２２０２で保存したアドレスデータと紐付けてハードディスク４３に保存する（Ｓ２２０７）。
【００９０】
次に、ＣＰＵ４１は、入力されたＦＡＸ送信機のＩＰアドレスを送信依頼先ＩＰとして、Ｓ２２０２で保存したアドレスデータ、Ｓ２２０７で保存したクライアント装置のＩＰと紐付けて保存する（Ｓ２２０８）。また、入力された回線番号も送信依頼先回線として、Ｓ２２０２で保存したアドレスデータ、Ｓ２２０７で保存したクライアント装置のＩＰと紐付けて保存する（Ｓ２２０９）。その後、Ｓ２２０５へ戻る。
【００９１】
（Ｂ）アドレス帳参照要求
次に、入力判定がクライアント装置Ｃ２−１又はＣ２−２からのアドレス帳参照要求である場合（図１４のＳ２１０４）について説明する。
【００９２】
サーバ装置Ｓ２−１のＣＰＵ４１は、クライアント装置からの参照要求を受信する（図１６のＳ２３０１）。次に、ＣＰＵ４１は、参照要求によって指定されたアドレスデータをハードディスク４３から取得し、電話番号を送信アドレスデータとしてＲＡＭ４２に記憶する（Ｓ２３０２）。そして、指定されたアドレスデータに紐付いて保存されているクライアント装置のＩＰアドレスと、参照要求を送信しているクライアント装置のＩＰアドレスが一致するかどうかを判定する（Ｓ２３０３）。もしＳ２３０３の判定が一致である場合、Ｓ２３０４を実行する。Ｓ２３０４では、指定されたアドレスデータと、クライアント装置のＩＰアドレスと紐付いて保存されている送信依頼先ＩＰとを取得し、送信アドレスデータとして記憶する。また、ＣＰＵ４１は、指定されたアドレスデータと、クライアント装置のＩＰアドレスと紐付いて保存されている送信依頼先回線も取得し、送信アドレスデータとして記憶する（Ｓ２３０６）。
【００９３】
その後、ＣＰＵ４１は、Ｓ２３０８を実行する。もしＳ２３０５の判定が不一致である場合、Ｓ２３０５を実行する。Ｓ２３０５では、ノーマル送信依頼先ＩＰを取得し、送信アドレスデータとして記憶する。また、ノーマル送信依頼先回線も取得し、送信アドレスデータとして記憶する（Ｓ２３０７）。そして、ＣＰＵ４１は、Ｓ２３０８を実行する。Ｓ２３０８では、参照要求を送信したクライアント装置に送信アドレスデータを送信する。その後、Ｓ２１０２に戻る。
【００９４】
＜第２の実施の形態におけるクライアント装置の動作＞
次に、図１９は、第２の実施の形態に係るクライアント装置Ｃ２−１の動作を示すフローチャートである。なお、クライアント装置Ｃ２−２の動作はクライアント装置Ｃ２−１の動作と同様であるため説明は省略する。
【００９５】
本実施の形態のシステムが起動されると、クライアント装置Ｃ２−１のＣＰＵ１１は、送信画像とアドレス帳のアドレスデータの指定を促す画面をＵＩ表示装置１６に表示する（Ｓ２４０２）。この時、指定される送信画像は、読取装置１９から読み込む画像でも良いし、ハードディスク３３に保存されている画像でも良い。
【００９６】
次に、ＣＰＵ１１は、指定されたアドレスデータの参照要求をサーバ装置Ｓ２−１に送信する（Ｓ２４０３）。その後、サーバ装置Ｓ２−１からのアドレスデータの送信を待ち、アドレスデータを受信する（Ｓ２４０４）。指定画像データ、指定アドレスデータの電話番号、及び指定アドレスデータの回線番号を、送信依頼先ＩＰから取得したＩＰアドレスのＦＡＸ送信機へ送信する（Ｓ２４０５）。その後、Ｓ２４０２に戻る。
【００９７】
＜第２の実施の形態に係る利点＞
第２の実施の形態によれば、送信依頼を行うクライアント装置が複数ある場合に、各クライアント装置がそれぞれで同じファックス送信機に画像を送信したとしても、該ファックス送信機においては送信元の情報によって画像の転送先を振り分けることが可能になる。
【００９８】
［第３の実施の形態］
次に、本発明の第３の実施の形態について説明する。
【００９９】
＜第３の実施の形態の構成＞
図２０は、本発明の第３の実施の形態に係る画像処理システムの構成例を示す模式図である。
【０１００】
本実施の形態における画像処理システムは、図２０に示すように、画像処理装置であるクライアント装置Ｃ３−１、アドレス帳を有するサーバ装置Ｓ３−１、ＦＡＸ送信機Ｆ３−１，Ｆ３−２を有し、これらがネットワーク回線１０を介して接続されている。
【０１０１】
なお、本実施の形態におけるサーバ装置Ｓ３−１は、第２の実施の形態におけるサーバ装置Ｓ２−１（図１３参照）の構成と同じである。また、クライアント装置Ｃ３−１の構成は、上述した第１の実施の形態における画像処理装置Ｃ１−１（図２（ａ））の構成と同じである。また、ＦＡＸ送信機Ｆ３−１，Ｆ３−２は、ＦＡＸ送信機Ｆ１−１，Ｆ１−２（図２（ｂ））の構成と同じである。
【０１０２】
＜第３の実施の形態におけるサーバ装置の動作＞
次に、第３の実施の形態におけるサーバ装置Ｓ３−１の動作について説明する。
【０１０３】
図２１〜図２４は、第３の実施の形態におけるサーバ装置Ｓ３−１の動作を示すフローチャートである。
【０１０４】
本実施の形態の画像処理システムが起動された後、サーバ装置Ｓ３−１のＣＰＵ４１は、図２１に示すＳ２１０２からＳ２１０４までの処理と同様の処理を、それぞれ図２１におけるＳ３１０２からＳ３１０４で実行する。
【０１０５】
（Ａ）アドレス帳登録
まず、入力判定が「アドレス帳登録」というオペレーションの選択である場合（Ｓ３１０３）について説明する。
【０１０６】
サーバ装置Ｓ３−１のＣＰＵ４１は、ＵＩ表示装置４６にアドレス帳登録を促す画面を表示する（Ｓ３２０１）。画面の一例を図２５に示す。この画面において、送信依頼先ＩＰとして入力されるデータ（２８１）には、例えば、「ＩＰアドレス」や「ホスト名」のほか、「範囲指定無しＡＵＴＯ」と、「範囲指定有りＡＵＴＯ」がある。「範囲指定無しＡＵＴＯ」は、アドレス参照時に、依頼先の範囲を問わないで送信依頼受け付け可能な依頼先であるＦＡＸ送信機を動的に選択することを示す動的選択識別子である。また、「範囲指定有りＡＵＴＯ」は、アドレス参照時に、２つ以上の依頼先（ＦＡＸ送信機）のうち、所定の複数のＦＡＸ送信機の中から送信依頼受け付け可能なＦＡＸ送信機を動的に選択することを示す動的選択識別子である。
【０１０７】
続いて、ＣＰＵ４１は、Ｓ３２０１の表示に対するユーザの入力をユーザコマンド入力装置７５から受け付け、入力された電話番号をアドレス帳のアドレスデータとしてハードディスク７３に保存する（Ｓ３２０２）。次に、ＣＰＵ４１は、入力された送信依頼先ＩＰが「範囲指定無しＡＵＴＯ」であるかどうかの判定を行う（Ｓ３２０３）。もしＳ３２０３の判定がＹＥＳである場合、Ｓ３２０５を実行する。Ｓ３２０５では、送信依頼先ＩＰとして「範囲指定無しＡＵＴＯ」を、Ｓ３２０２で保存したアドレスデータに紐付けて保存する。
【０１０８】
その後、ＣＰＵ４１は、Ｓ３２０９を実行する。もしＳ３２０３の判定がＮＯである場合、Ｓ３２０４を実行する。Ｓ３２０４では、入力された送信依頼先ＩＰが「範囲指定有りＡＵＴＯ」であるかどうかの判定を行う。もしＳ３２０４の判定がＹＥＳである場合、Ｓ３２０６を実行する。Ｓ３２０６では、送信依頼先ＩＰとして「範囲指定有りＡＵＴＯ」を、Ｓ３２０２で保存したアドレスデータに紐付けて保存する。
【０１０９】
また、ＣＰＵ４１は、入力されたＩＰ範囲指定を送信依頼先ＩＰ範囲指定として、Ｓ３２０２で保存したアドレスデータに紐付けて保存する（Ｓ３２０８）。その後、Ｓ３２０９を実行する。もしＳ３２０４の判定がＮＯである場合、Ｓ３２０７を実行する。Ｓ３２０７では、入力されたＦＡＸ送信機のＩＰアドレスを送信依頼先ＩＰとして、Ｓ３２０２で保存したアドレスデータに紐付けて保存する。その後、ＣＰＵ４１はＳ３２０９を実行する。Ｓ３２０９では、入力された回線番号を送信依頼先回線として、Ｓ３２０２で保存したアドレスデータに紐付けて保存する。そして、Ｓ３１０２へ戻る。
【０１１０】
（Ｂ）アドレス帳参照要求
次に、入力判定がクライアント装置Ｃ３−１からのアドレス帳の参照要求である場合（図２１のＳ３１０４）について説明する。
【０１１１】
サーバ装置Ｓ３−１のＣＰＵ４１は、クライアント装置Ｃ３−１からの参照要求と認証情報を受信する（Ｓ３３０１）。認証情報としては例えば、「ユーザアカウント」と「ユーザパスワード」がある。続いて、ＣＰＵ４１は、参照要求によって指定されたアドレスデータをハードディスク７３から取得し、電話番号を送信アドレスデータとしてＲＡＭ４２に記憶する（Ｓ３３０２）。
【０１１２】
そして、ＣＰＵ４１は、指定されたアドレスデータに紐付いて保存されている送信依頼先ＩＰが「範囲指定無しＡＵＴＯ」であるかどうかを判定する（Ｓ３３０３）。もしＳ３３０３の判定がＹＥＳである場合、Ｓ３３０５を実行する。Ｓ３３０５では、ＦＡＸ送信機の使用可否の判定対象として、サーバ装置Ｓ３−１が予め認識している全てのＦＡＸ送信機を指定する。その後、ＣＰＵ４１はＳ３３０７を実行する。もしＳ３３０３の判定がＮＯである場合、Ｓ３３０４を実行する。Ｓ３３０４では、指定されたアドレスデータに紐付いて保存されている送信依頼先ＩＰが「範囲指定有りＡＵＴＯ」であるかどうかを判定する。もしＳ３３０４の判定がＹＥＳである場合、Ｓ３３０６を実行する。Ｓ３３０６では、ＦＡＸ送信機の使用可否の判定対象として、送信依頼先ＩＰの範囲指定の範囲内のＦＡＸ送信機を指定する。
【０１１３】
その後、ＣＰＵ４１はＳ３３０７を実行する。Ｓ３３０７では、使用不可であると判定されていない判定対象のＦＡＸ送信機が残っているかどうかを判定する。もしＳ３３０７の判定が残っているである場合、Ｓ３３０８を実行する。Ｓ３３０８では、ＦＡＸ送信機の使用可否の判定が１回目であり、かつ、参照要求を送信したクライアント装置Ｃ３−１がＦＡＸ送信機を有するかどうかを判定する。もしＳ３３０８の判定がＹＥＳである場合、Ｓ３３０９を実行する。Ｓ３３０９では、参照要求を送信したクライアント装置Ｃ３−１を判定中対象と指定する。その後、ＣＰＵ４１はＳ３３１１を実行する。もしＳ３３０８の判定がＮＯである場合、Ｓ３３１０を実行する。Ｓ３３１０では、残っている判定対象のＦＡＸ送信機のうち、保持する物理回線数が多い機器を判定中対象と指定する。
【０１１４】
その後、ＣＰＵ４１はＳ３３１１を実行する。Ｓ３３１１では、受信した認証情報データのユーザに、判定中対象のＦＡＸ送信機の使用権限があるかどうかを判定する。もしＳ３３１１の判定がＹＥＳである場合にはＳ３３１２を実行する。Ｓ３３１２では、判定中対象のＦＡＸ送信機に対して、指定したアドレスデータの送信依頼先回線番号の使用可否についての判定結果を要求する。送信依頼先回線番号としては、どの回線でも構わないと言う意味の「ＡＵＴＯ」も含まれて良い。
【０１１５】
その後、ＣＰＵ４１は使用可否の判定結果を受信する（Ｓ３３１３）。そして、判定結果がＯＫであるかどうかを判定する（Ｓ３３１４）。もしＳ３３１４の判定がＮＧである場合、Ｓ３３１８を実行する。Ｓ３３１８では、判定中対象であるＦＡＸ送信機に判定ＮＧのフラグを付加する。その後、Ｓ３３０７へ戻る。もしＳ３３１１の判定がＮＯである場合も、Ｓ３３１８を実行する。もしＳ３３１４の判定がＯＫである場合、Ｓ３３１５を実行する。
【０１１６】
Ｓ３３１５では、判定中対象のＦＡＸ送信機のＩＰを、送信アドレスデータの送信依頼先ＩＰとして記憶する。また、指定されたアドレスデータに紐付いて保存されている送信依頼先回線も取得し、送信アドレスデータとして記憶する（Ｓ３３１９）。その後、Ｓ３３２２を実行する。もしＳ３３０７の判定が残っていないである場合には、Ｓ３３１６を実行する。Ｓ３３１６では、クライアント装置において送信依頼先を決定すると言う意味の「ＡＵＴＯ」を、送信アドレスデータの送信依頼先ＩＰとして記憶する。
【０１１７】
また、ＣＰＵ４１は、指定されたアドレスデータに紐付いて保存されている送信依頼先回線も取得し、送信アドレスデータとして記憶する（Ｓ３３１９）。その後、Ｓ３３２２を実行する。もしＳ３３０４の判定がＮＯである場合、Ｓ３３１７を実行する。Ｓ３３１７では、指定されたアドレスデータに紐付いて保存されている送信依頼先ＩＰを取得し、送信アドレスデータとして記憶する。また、指定されたアドレスデータに紐付いて保存されている送信依頼先回線も取得し、送信アドレスデータとして記憶する（Ｓ３３２１）。その後、ＣＰＵ４１はＳ３３２２を実行する。Ｓ３３２２では、参照要求を送信したクライアント装置に送信アドレスデータを送信する。そして、Ｓ３１０２に戻る。
【０１１８】
＜第３の実施の形態におけるクライアント装置の動作＞
次に、第３の実施の形態におけるクライアント装置の動作について、図２６を参照して説明する。
【０１１９】
図２６は、本実施の形態のクライアント装置Ｃ３−１の動作を示すフローチャートである。
【０１２０】
本実施の形態のシステムが起動されると、クライアント装置Ｃ３−１のＣＰＵ１１は、ユーザアカウント、ユーザパスワードの入力を促す画面をＵＩ表示装置１６に表示する（Ｓ３４０２）。そして、ＣＰＵ１１は、この表示に対するユーザ入力をユーザコマンド入力装置１５から受け付け、ユーザにＦＡＸ送信依頼実行の使用権限があるかどうかを判定する（Ｓ３４０３）。もしＳ３４０３の判定がＹＥＳである場合、ＣＰＵ１１は、Ｓ３４０４を実行する。Ｓ３４０４では、入力されたユーザアカウントとユーザパスワードを認証情報として、ＲＡＭ１２に記憶する。
【０１２１】
次に、クライアント装置Ｃ３−１のＣＰＵ１１は、ＵＩ表示装置１６に送信画像とアドレス帳のアドレスデータの指定を促す画面を表示する（Ｓ３４０５）。この時、指定される送信画像は、読取装置１９から読み込む画像でも良いし、ハードディスク１３に保存されている画像でも良い。次に指定されたアドレスデータの参照要求をＳ３４０４で記憶した認証情報とともに、サーバ装置Ｓ３−１に送信する（Ｓ３４０６）。
【０１２２】
その後、クライアント装置Ｃ３−１のＣＰＵ１１は、サーバ装置Ｓ３−１からのアドレスデータの送信を待ち、アドレスデータを受信する（Ｓ３４０７）。そして、ＣＰＵ１１は、指定画像データ、指定アドレスデータの電話番号、及び指定のアドレスデータの回線番号を、送信依頼先ＩＰから取得したＩＰアドレスのＦＡＸ送信機へ送信する（Ｓ３４０８）。その後、Ｓ３４０２に戻る。もしＳ３４０３の判定がＮＯである場合も、Ｓ３４０２に戻る。
【０１２３】
＜第３の実施の形態に係る利点＞
本実施の形態によれば、送信依頼受け付け可能なＦＡＸ送信機（機器）を選択することを示す動的選択識別子として、例えば上述した「範囲指定無しＡＵＴＯ」及び「範囲指定有りＡＵＴＯ」を設ける。そして、機器が送信依頼受け付け可能な状態か否かを判定する手段として、例えば、ユーザに、判定中対象のＦＡＸ送信機の使用権限があるかどうかを判定する。これにより、送信依頼を行うクライアント装置で適宜にＦＡＸ送信機を選択することができる。つまり、複数のＦＡＸ送信機のうち、いずれから画像を送信するかは問わないで、なるべく待機時間を少なくする運用が可能になる。
【０１２４】
なお、高速なネットワークで、送信依頼受け付け可能な機器(例えばＦＡＸ送信機)が２つ以上接続されて構成される機器群においては次のように処理することも可能である。即ち、前記機器群のうち、より多くの機器から構成される機器群における機器を優先して、送信依頼受け付け可能な状態か否かを判定するようにしても良い。
【０１２５】
また、本発明は、送信依頼された画像を指定の宛先に送信する送信依頼受付機能を有する機器が複数設置されたネットワークに接続され、前記指定の宛先を示す宛先データが登録されるアドレス帳を有する画像処理装置において、例えば次のような手段を講ずる。
【０１２６】
アドレス登録手段が、前記機器を指定する送信依頼先データと前記宛先データとを関連付けて前記アドレス帳に登録する。アドレス指定手段が、前記アドレス登録手段により登録された前記宛先データと前記送信依頼先データを指定する。画像指定手段が、送信を目的とする画像を指定する。そして、前記画像指定手段で指定した画像と前記アドレス指定手段で指定した前記宛先データとを、前記アドレス指定手段で指定した前記送信依頼先データにより指定される前記機器に送信する。
【０１２７】
また、識別子登録手段が、前記機器を示す汎用の識別子である汎用識別子、及び前記機器を示す唯一の識別子である絶対識別子を前記送信依頼先データとして登録する。識別子判定手段が、前記アドレス登録手段により登録された前記送信依頼先データが前記汎用識別子であるか否かを判定する。識別子変換手段が、前記識別子判定手段によって前記汎用識別子であると判定された場合に、該汎用識別子を前記絶対識別子に変換する。アドレス帳出力手段が、前記アドレス登録手段により登録された前記宛先データと、該宛先データに関連付けられた前記送信依頼先データとしての前記絶対識別子とを組み合わせたアドレス帳出力用データを外部へ出力する。
【０１２８】
また、識別子判定手段が、前記宛先データと前記送信依頼先データとを組み合わせたアドレス帳入力用データにおける前記送信依頼先データが前記機器を示す唯一の識別子である絶対識別子であるかどうかを判定する。そして、前記識別子判定手段により前記絶対識別子であると判定された場合に、該絶対識別子を、前記機器を示す汎用の識別子である汎用識別子に置換する。さらに、前記置換された汎用識別子と前記宛先データとを前記アドレス帳に登録する。
【０１２９】
また、送信依頼された画像を宛先データで指定される宛先に送信する送信依頼受付機能を有する機器が２つ以上接続されたネットワークに配され、該ネットワーク上の他の画像処理装置にアドレス帳を公開する画像処理装置において、例えば、次のような手段を講ずる。アドレス登録手段が、前記宛先データと前記機器を指定する送信依頼先データとを関連付けて前記アドレス帳に登録する。そして、前記他の画像処理装置からの前記アドレス帳の参照要求を受け付ける。さらに、前記参照要求を受けて、前記アドレス登録手段で前記アドレス帳に登録された前記宛先データと前記送信依頼先データを、前記参照要求を送った前記他の画像処理装置に送信する。
【０１３０】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出す処理である。
【０１３１】
この場合、記憶媒体から読み出されたプログラムコード自体が前述した実施の形態の機能を実現することになり、そのプログラムコード及び該プログラムコードを記憶した記憶媒体は本発明を構成することになる。
【０１３２】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。又は、プログラムコードをネットワークを介してダウンロードしても良い。
【０１３３】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【０１３４】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【図面の簡単な説明】
【０１３５】
【図１】第１の実施の形態に係る画像処理システムの構成例を示す模式図である。
【図２】（ａ）は、図１中の画像処理装置Ｃ１−１の構成例を示すブロック図である。（ｂ）は、図１中のＦＡＸ送信機Ｆ１−１，Ｆ１−２の構成例を示す模式図である。
【図３】第１の実施の形態に係る画像処理装置の動作を示すフローチャートである。
【図４】第１の実施の形態に係る画像処理装置の動作を示すフローチャートである。
【図５】第１の実施の形態に係る画像処理装置の動作を示すフローチャートである。
【図６】第１の実施の形態に係る画像処理装置の動作を示すフローチャートである。
【図７】第１の実施の形態に係る画像処理装置の動作を示すフローチャートである。
【図８】第１の実施の形態に係る画像処理装置の動作を示すフローチャートである。
【図９】送信依頼先のＦＡＸ送信機に送信依頼を実行できなかった場合の動作の決定を促す画面の一例を示す画面図である。
【図１０】アドレス帳を外部ファイルから入力する場合の動作の決定を促す画面の一例を示す画面図である。
【図１１】アドレス登録を促す画面の一例を示す画面図である。
【図１２】第２の実施の形態に係る画像処理システムの構成例を示す模式図である。
【図１３】図１２中のサーバ装置の構成例を示すブロック図である。
【図１４】第２の実施の形態におけるサーバ装置の動作を示すフローチャートである。
【図１５】第２の実施の形態におけるサーバ装置の動作を示すフローチャートである。
【図１６】第２の実施の形態におけるサーバ装置の動作を示すフローチャートである。
【図１７】アドレス帳登録を促す画面の一例を示す画面図である。
【図１８】クライアント装置毎の送信依頼先の登録を促す画面の一例を示す画面図である。
【図１９】第２の実施の形態に係るクライアント装置の動作を示すフローチャートである。
【図２０】第３の実施の形態に係る画像処理システムの構成例を示す模式図である。
【図２１】第３の実施の形態におけるサーバ装置の動作を示すフローチャートである。
【図２２】第３の実施の形態におけるサーバ装置の動作を示すフローチャートである。
【図２３】第３の実施の形態におけるサーバ装置の動作を示すフローチャートである。
【図２４】第３の実施の形態におけるサーバ装置の動作を示すフローチャートである。
【図２５】アドレス帳登録を促す画面の一例を示す画面図である。
【図２６】第３の実施の形態のクライアント装置の動作を示すフローチャートである。
【図２７】従来のネットワークシステムの一構成例を示す模式図である。
【符号の説明】
【０１３６】
Ｃ１−１  画像処理装置
Ｃ２−１，Ｃ２−２，Ｃ３−１  クライアント装置
Ｓ２−１，Ｓ３−１  サーバ装置
Ｆ１−１，Ｆ１−２，Ｆ２−１，Ｆ２−２，Ｆ３−１，Ｆ３−２  ＦＡＸ送信機
１０  ネットワーク回線
１１，４１  ＣＰＵ
１２，４２，４３ＲＡＭ
１３，４３  ハードディスク装置
１５，４５  ユーザコマンド入力装置
１６，４６  ＵＩ表示装置
１７，４７  通信装置
【図１】
2010016451.tif 000003
【図２】
2010016451.tif 000004
【図３】
2010016451.tif 000005
【図４】
2010016451.tif 000006
【図５】
2010016451.tif 000007
【図６】
2010016451.tif 000008
【図７】
2010016451.tif 000009
【図８】
2010016451.tif 000010
【図９】
2010016451.tif 000011
【図１０】
2010016451.tif 000012
【図１１】
2010016451.tif 000013
【図１２】
2010016451.tif 000014
【図１３】
2010016451.tif 000015
【図１４】
2010016451.tif 000016
【図１５】
2010016451.tif 000017
【図１６】
2010016451.tif 000018
【図１７】
2010016451.tif 000019
【図１８】
2010016451.tif 000020
【図１９】
2010016451.tif 000021
【図２０】
2010016451.tif 000022
【図２１】
2010016451.tif 000023
【図２２】
2010016451.tif 000024
【図２３】
2010016451.tif 000025
【図２４】
2010016451.tif 000026
【図２５】
2010016451.tif 000027
【図２６】
2010016451.tif 000028
【図２７】
2010016451.tif 000029